(57)【特許請求の範囲】
【請求項１】
周方向に複数のステータ鉄心ユニットに分割し、これらのステータ鉄心ユニットをフレームに固定した回転電機のステータ鉄心構造であって、
ステータ鉄心ユニットの周方向の一方の端部では軸方向の手前側に段差を形成し、ステータ鉄心ユニットの周方向の他方の端部では軸方向の奥側に段差を形成することにより、周方向に隣り合うステータ鉄心ユニットの周方向端部同士が、ステータ鉄心ユニットの軸方向の幅の半分ずつ軸方向の手前側と奥側とにずれて、軸方向に重なり合うように構成したことを特徴とする回転電機のステータ鉄心構造。
【請求項２】
請求項１に記載する回転電機のステータ鉄心構造において、
前記重なり部をボルトによって前記フレームに固定したことを特徴とする回転電機のステータ鉄心構造。
【発明の詳細な説明】
【０００１】
【発明の属する技術分野】
本発明は回転電機のステータ鉄心構造に関する。
【０００２】
【従来の技術】
図４（ａ）は従来の回転電機のステータ鉄心構造を示す横断面図、図４（ｂ）は図４（ａ）のＣ−Ｃ線矢視断面図である。なお、図４には集中巻線方式のステータ鉄心ユニット形状を示している。
【０００３】
図４に示すように、従来の回転電機のステータ鉄心１は、周方向に複数のステータ鉄心ユニット２に分割されており、各ステータ鉄心ユニット２ごとにボルト４によってフレーム５に固定されている。各ステータ鉄心ユニット２には、絶縁シート６を介してコイル３が巻回されている。
【０００４】
従って、上記構造のステータ鉄心１では、各ステータ鉄心ユニット２の周方向端面が磁束の通り道となる。
【０００５】
【発明が解決しようとする課題】
しかしながら、上記従来のステータ鉄心１では、ステータ鉄心ユニット２ごとの各寸法の個体差（精度）により、周方向に隣り合うステータ鉄心ユニット２同士の周方向端面間に隙間が生じてしまい、かかる隙間が生じることによって、ステータ鉄心１の磁束の通り道に磁束が通りにくくなってしまう。一方、周方向に隣り合うステータ鉄心２同士の周方向端面間の隙間が小さいほど、ステータ鉄心１の組み立てはしずらくなってしまう。
【０００６】
従って本発明は上記従来技術に鑑み、ステータ鉄心の組み立てをしずらくすることなくステータ鉄心の磁束の通り道に磁束を通りやすくすることができる回転電機のステータ鉄心構造を提供することを課題とする。
【０００７】
【課題を解決するための手段】
上記の課題を解決する第１発明の回転電機のステータ鉄心構造は、周方向に複数のステータ鉄心ユニットに分割し、これらのステータ鉄心ユニットをフレームに固定した回転電機のステータ鉄心構造であって、
ステータ鉄心ユニットの周方向の一方の端部では軸方向の手前側に段差を形成し、ステータ鉄心ユニットの周方向の他方の端部では軸方向の奥側に段差を形成することにより、周方向に隣り合うステータ鉄心ユニットの周方向端部同士が、ステータ鉄心ユニットの軸方向の幅の半分ずつ軸方向の手前側と奥側とにずれて、軸方向に重なり合うように構成したことを特徴とする。
【０００８】
従って、この第１発明の回転電機のステータ鉄心構造によれば、周方向に隣り合うステータ鉄心ユニットの周方向端部同士が軸方向に重なり合うように構成したことによって、周方向に隣り合うステータ鉄心ユニット同士の磁束の通り道が重なり合うことになり、この磁束の通り道部分の面同士が確実に当たる（接触する）ようになるため、磁束が通りやすくなる。
【０００９】
また、第２発明の回転電機のステータ鉄心構造は、第１発明の回転電機のステータ鉄心構造において、
前記重なり部をボルトによって前記フレームに固定したことを特徴とする。
【００１０】
従って、この第２発明の回転電機のステータ鉄心構造によれば、周方向に隣り合うステータ鉄心ユニット同士の重なり部をボルトによってフレームに固定したことにより、磁束の通り道部分の面同士がより確実に当たる（接触する）ようになるため、磁束がより通りやすくなる。
【００１１】
【発明の実施の形態】
以下、本発明の実施の形態を図面に基づき詳細に説明する。
【００１２】
＜実施の形態１＞
図１（ａ）は本発明の実施の形態１に係る回転電機のステータ鉄心構造を示す横断面図、図１（ｂ）は図１（ａ）のＡ−Ａ線矢視断面図、図２は前記ステータ鉄心を構成するステータ鉄心ユニットを抽出して示す斜視図である。なお、図１及び図２には集中巻線方式のステータ鉄心ユニット形状を示している。
【００１３】
図１に示すように、本実施の形態１に係る回転電機のステータ鉄心１１は、周方向に複数のステータ鉄心ユニット１２に分割されており、各ステータ鉄心ユニット１２ごとにボルト１４によってフレーム１５に固定されている。各ステータ鉄心ユニット１２には、絶縁シート１６を介してコイル１３が巻回されている。
【００１４】
そして、図１及び図２に示すように、ステータ鉄心ユニット１２は磁束の通り道となる周方向両端部（耳部）１２ａに段差が設けられている。即ち、ステータ鉄心ユニット１２の周方向左側の端部１２ａでは軸方向の手前側に段差が形成されており、ステータ鉄心ユニット１２の周方向右側の端部１２ａでは軸方向の奥側に段差が形成されている。このため、本実施の形態１に係るステータ鉄心１１では、周方向に隣り合うステータ鉄心ユニット１２の周方向端部１２ａ同士が、ステータ鉄心ユニット１２の軸方向の幅の半分ずつ軸方向の手前側と奥側とにずれて、軸方向に重なり合うようになっている。
【００１５】
従って、上記構造のステータ鉄心１１によれば、周方向に隣り合うステータ鉄心ユニット１２の周方向端部１２ａ同士が軸方向に重なり合うように構成したことによって、周方向に隣り合うステータ鉄心ユニット１２同士の磁束の通り道が重なり合うことになり、この磁束の通り道部分の面１２ｂ同士が確実に当たる（接触する）ようになるため、図２中に矢印で示すように、磁束が通りやすくなる。しかも、ステータ鉄心１１の組み立てをしずらくすることはない。即ち従来に比べて組み立てが容易になる。
【００１６】
＜実施の形態２＞
図３（ａ）は本発明の実施の形態２に係る回転電機のステータ鉄心構造を示す横断面図、図３（ｂ）は図３（ａ）のＢ−Ｂ線矢視断面図である。
【００１７】
図３に示すように、本実施の形態２に係る回転電機のステータ鉄心１１では、上記実施の形態１に係る回転電機のステータ鉄心１１と同様に（図１参照）、周方向に隣り合うステータ鉄心ユニット１２の周方向端部１２ａ同士が軸方向に重なり合うように構成されると共に、これらの重なり部がボルト１４によってそれぞれフレーム１５に固定されている。
【００１８】
なお、本実施の形態２に係るステータ鉄心１１のその他の構成については、上記実施の形態１に係るステータ鉄心１１の構成と同様であるため、ここでの詳細な説明は省略する。
【００１９】
上記構造のステータ鉄心１１によれば、周方向に隣り合うステータ鉄心ユニット１２同士の重なり部をボルト１４によってフレーム１５に固定したことにより、磁束の通り道部分の面１２ｂ同士がより確実に当たる（接触する）ようになるため、磁束がより通りやすくなる。
【００２０】
【発明の効果】
以上、発明の実施の形態と共に具体的に説明したように、第１発明の回転電機のステータ鉄心構造によれば、周方向に隣り合うステータ鉄心ユニットの周方向端部同士が軸方向に重なり合うように構成したことによって、周方向に隣り合うステータ鉄心ユニット同士の磁束の通り道が重なり合うことになり、この磁束の通り道部分の面同士が確実に当たるようになるため、磁束が通りやすくなる。しかも、ステータ鉄心の組み立てをしずらくすることはない。即ち従来に比べて組み立てが容易になる。
【００２１】
また、第２発明の回転電機のステータ鉄心構造によれば、周方向に隣り合うステータ鉄心ユニット同士の重なり部をボルトによってフレームに固定したことにより、磁束の通り道部分の面同士がより確実に当たるようになるため、磁束がより通りやすくなる。
【図面の簡単な説明】
【図１】（ａ）は本発明の実施の形態１に係る回転電機のステータ鉄心構造を示す横断面図、（ｂ）は（ａ）のＡ−Ａ線矢視断面図である。
【図２】前記ステータ鉄心を構成するステータ鉄心ユニットを抽出して示す斜視図である。
【図３】（ａ）は本発明の実施の形態２に係る回転電機のステータ鉄心構造を示す横断面図、（ｂ）は（ａ）のＢ−Ｂ線矢視断面図である。
【図４】（ａ）は従来の回転電機のステータ鉄心構造を示す横断面図、（ｂ）は（ａ）のＣ−Ｃ線矢視断面図である。
【符号の説明】
１１  ステータ鉄心
１２  ステータ鉄心ユニット
１２ａ  端部
１４  ボルト
１５  フレーム
【図１】
0003629921.tif 000002
【図２】
0003629921.tif 000003
【図３】
0003629921.tif 000004
【図４】
0003629921.tif 000005